(57)【要約】【課題】電力量計が計量している状態で、通信端末に電源を接続できる電力量計用バイパス工具を提供する。【解決手段】電力量計用バイパス工具は、一組のバイパスケーブルＷｂ１・Ｗｂ２で構成している。これらのバイパスケーブルＷｂ１・Ｗｂ２は、芯線Ｗｃを巻回した巻回部１ｒを一方の端部に有し、芯線Ｗｃを露出した芯線部１ｃを他方の端部に有する。これらのバイパスケーブルＷｂ１・Ｗｂ２の巻回部１ｒを電圧線端子Ｐ１・Ｐ２の奥側のねじ端子７２ｔに接続すると共に、これらのバイパスケーブルＷｂ１・Ｗｂ２の芯線部１ｃをチェックターミナル９の変成器側に設けたターミナル９２ｐに接続する。これにより、電力量計７の電源と変成器をバイパスできる。電圧線端子Ｐ１・Ｐ２の入口側のねじ端子７２ｔを弛めることで、電線Ｗを端子穴７ｈから引き抜くことができる。【選択図】図２
2018088315.tif 000002
【特許請求の範囲】
【請求項１】
変成器に接続したリード線と電力量計に接続した電線とを電気的に接続、又は前記リード線と前記電線を電気的に遮断できるチェックターミナルを用いて、前記電力量計が計量している状態で、通信端末に電源を接続できる電力量計用バイパス工具であって、
前記電力量計は、少なくとも一組以上の電圧線端子を有する端子台を備え、
前記端子台は、
被覆を剥離した前記電線の芯線を挿入自在な端子穴と、
第１の端子板に導通可能に螺合すると共に、前記端子穴に挿入された前記電線の芯線を固定できる一組のねじ端子と、を有し、
前記ねじ端子のねじ部を挿通自在な穴を中心部に開口した巻回部を一端部側に有し、前記チェックターミナルの変成器側に設けたターミナルに接続自在な芯線部を他端部側に有する、一組のバイパスケーブルを備え、
前記第１の端子板を介して、奥側の前記ねじ端子を前記巻回部に締結した状態では、当該ねじ端子のねじ部の先端面が前記電線の芯線から離反できると共に、入口側の前記ねじ端子を弛めることで、前記電線を前記第１の端子板から取り外しできる、電力量計用バイパス工具。
【請求項２】
前記第１の端子板を介して、奥側の前記ねじ端子を前記巻回部に締結し、入口側の前記ねじ端子を弛めた状態では、前記電線の芯線と前記通信端末の電源端子に接続したケーブルの芯線を縦続接続した状態で前記端子穴に挿入できる、請求項１記載の電力量計用バイパス工具。
【請求項３】
一方のバイパスケーブルは、赤色の絶縁被覆を有し、
他方のバイパスケーブルは、白色の絶縁被覆を有している、請求項１又は２記載の電力量計用バイパス工具。
【請求項４】
変成器に接続したリード線と電力量計に接続した電線とを電気的に接続、又は前記リード線と前記電線を電気的に遮断できるチェックターミナルを用いて、前記電力量計が計量している状態で、通信端末に電源を接続できる電力量計用バイパス工具の接続方法であって、前記電力量計は、少なくとも一組以上の電圧線端子を有する端子台を備え、前記端子台は、被覆を剥離した前記電線の芯線を挿入自在な端子穴と、第１の端子板に導通可能に螺合すると共に、前記端子穴に挿入された前記電線の芯線を固定できる一組のねじ端子と、を有し、前記ねじ端子のねじ部を挿通自在な穴を中心部に開口した巻回部を一端部側に有し、前記チェックターミナルの変成器側に設けたターミナルに接続自在な芯線部を他端部側に有する、一組のバイパスケーブルを備え、
前記バイパスケーブルの巻回部を奥側の前記ねじ端子に締結する第１工程と、
前記バイパスケーブルの芯線部を前記チェックターミナルの変成器側に設けたターミナルに接続する第２工程と、
前記チェックターミナルに配置した第２の端子板の中央部に締結した接栓を当該第２の端子板から取り外して、前記変成器側に設けたターミナルと電力量計側のターミナルを電気的に遮断する第３工程と、
入口側の前記ねじ端子を弛めて前記電線を前記第１の端子板から取り外す第４工程と、
前記電線の芯線と前記通信端末の電源端子に接続したケーブルの芯線を縦続接続した状態で前記端子穴に挿入する第５工程と、含んでいる、電力量計用バイパス工具の接続方法。
【発明の詳細な説明】
【技術分野】
【０００１】
本発明は、電力量計用バイパス工具に関する。特に、電力量を無線通信できる無線端末装置などを既設の電力量計に接続する場合に、電力量計を無停電の状態で無線端末装置と接続できる、電力量計用バイパス工具の構造に関する。
【背景技術】
【０００２】
電力の自由化に伴って、発電事業者又は電力小売り事業者は、電力会社が所有する送配電網を利用できるようになった。このような電力の託送では、電力の需要者側に設置した電力量計に通信端末を接続して、電力データを送信している。
【０００３】
図５は、電力量計と通信端末との接続例を示す配置図である。図５を参照すると、電力量計７は、電圧線端子Ｐ１及び電圧線端子Ｐ２を端子台７２に配置している。電圧線端子Ｐ１及び電圧線端子Ｐ２を通信端末８の電源端子に接続することで、通信端末８に電源を供給できる。
【０００４】
図５を参照して、通信端末８の電源端子から延出した一組のケーブルＣｂ１・Ｃｂ２を電圧線端子Ｐ１及び電圧線端子Ｐ２に接続するときは、代替用計量器をチェックターミナル９に接続し、無計量状態が生じないようにしている。
【０００５】
次に、図５を参照して、電力量計７を停電状態にして、一組のケーブルＣｂ１・Ｃｂ２を電圧線端子Ｐ１及び電圧線端子Ｐ２に接続した後に、電力量計７を再稼働することで、通信端末８を稼働できる。このような、代替用計量器を取り付けできるチェックターミナルは、例えば、特許文献１に開示されている。
【先行技術文献】
【特許文献】
【０００６】
【特許文献１】特開２０１１−８２１１９号公報
【発明の概要】
【発明が解決しようとする課題】
【０００７】
図６は、一例による電力量計の構成を示す正面図であり、電力量計本体から計器ボックスを取り外した状態図である。図７は、図６の部分拡大縦断面図である。図６を参照すると、電力量計７は、電力量計本体７０と透明体からなる計器ボックス７０ｃを備えている。計器ボックス７０ｃは、通常、電力量計本体７０の背面を除く電力量計本体７０の周囲を正面側から覆っている。
【０００８】
図６を参照すると、電力量計本体７０は、電力計測器７１と端子台７２で構成している。電力計測器７１は、供給された電力を計測及び積算し、積算した値を電力量として正面側に向けて表示するメータ表示部７１ｍを含んでいる。具体的には、メータ表示部７１ｍは、電源側電力線から負荷側電力線に流れる電流に応じて電力を計測して積算し、積算して得た値を電力量として正面側に向けて表示している。
【０００９】
図６を参照すると、端子台７２は、矩形の絶縁基板上に一組のねじ端子７２ｔ・７２ｔを並設配置している。又、端子台７２は、一組のねじ端子７２ｔ・７２ｔを周囲から隔絶する隔壁７２ｓ・７２ｓを有している。実体として、一対の隔壁７２ｓ・７２ｓで囲われた凹部の底面に配置された端子板７２ｂに、一組のねじ端子７２ｔ・７２ｔを取り付けている。端子板７２ｂは、一組のねじ端子７２ｔ・７２ｔと電気的に接続している。
【００１０】
図６を参照すると、端子台７２は、複数の電源側電力線と複数の負荷側電力線との間に電力計測器７１とが電気回路として介在するように、これらの電源側電力線及び負荷側電力線を接続している。これにより、負荷側へ給電でき、電力量計本体７０は、正常に作動できる。
【００１１】
図６を参照すると、端子台７２は、電源側端子部と負荷側端子部を有している。電源側端子部は、電源側電力線の端末（芯線）を一組のねじ端子７２ｔ・７２ｔでねじ止めして、電気的に接続できる。負荷側端子部は、負荷側電力線の端末（剥離電線）を一組のねじ端子７２ｔ・７２ｔをねじ止めして、電気的に接続できる。なお、特に区別する必要がない限り、電源側電力線及び負荷側電力線を以下、電線Ｗと総称する。
【００１２】
図７を参照すると、端子台７２は、ねじ端子７２ｔが螺合するねじ穴に連通する端子穴７ｈを端面Ｔｆから開口している。被覆Ｗｅを剥離した電線Ｗの端末、すなわち芯線Ｗｃを端子穴７ｈに挿入し、一組のねじ端子７２ｔ・７２ｔをねじ穴に締結することで、電線Ｗを端子台７２に固定できる。そして、電線Ｗを電力計測器７１に電気的に接続できる（図６参照）。
【００１３】
一方、図６を参照して、一組のねじ端子７ｔ・７ｔを弛めることで、電線Ｗを端子台７２から取り外すことができる。
【００１４】
図８は、従来技術によるチェックターミナルの構成を示す正面図であり、蓋体を取り外した状態図である。図９は、図８のＡ−Ａ矢視断面図である。なお、本願の図８と図９は、特許文献１の図１と図２に相当している。
【００１５】
図８又は図９を参照すると、チェックターミナル（以下、ＴＴという）９は、有底の外箱９１と端子盤９２を備えている。端子盤９２は、外箱９１の内部に配置されている。外箱９１は、変成器（図示せず）からのリード線Ｗｒを内部に導入可能に構成している。又、外箱９１は、電力量計７からの電線Ｗを内部に導入可能に構成している。
【００１６】
図８又は図９を参照すると、ＴＴ９は、変成器（図示せず）からのリード線Ｗｒと電力量計７からの電線Ｗを電気的に接続することができ、遮断することもできる。又、ＴＴ９は、変成器（図示せず）からのリード線Ｗｒと代替計量器（図示せず）からの電線Ｗｓを電気的に接続することができる。
【００１７】
図８又は図９を参照すると、端子盤９２は、矩形の絶縁基板９２１と複数の帯板状の導電性を有する端子板９２２を備えている。絶縁基板９２１は、外箱９１の底面に固定されている。複数の端子板９２２は、絶縁基板９２１に並列配置されている。
【００１８】
図８又は図９を参照すると、端子板９２２は、一組の端子部９２ａ・９２ｂを両端部に有している。一方の端子部９２ａは、一組のねじ端子９２ｔ・９２ｔを有している。同様に、他方の端子部９２ｂは、一組のねじ端子９２ｔ・９２ｔを有している。
【００１９】
図９を参照すると、端子板９２２は、その一方の端面から中央部に向かって穿設した穴９２ｈを開口している。変成器（図示せず）からのリード線Ｗｒの芯線を穴９２ｈに挿入し、リード線Ｗｒの芯線を一組のねじ端子９２ｔ・９２ｔで固定することで、変成器（図示せず）からのリード線Ｗｒと端子板９２２の一方の端部を電気的に接続できる。
【００２０】
同様に、図９を参照すると、端子板９２２は、その他方の端面から中央部に向かって穿設した穴９２ｈを開口している。電力量計７からの電線Ｗの芯線を穴９２ｈに挿入し、電線Ｗの芯線を一組のねじ端子９２ｔ・９２ｔで固定することで、電力量計７からの電線Ｗと端子板９２２の他方の端部を電気的に接続できる。
【００２１】
図８又は図９を参照すると、端子板９２２は、導電性を有する円柱状のターミナル９２ｐを一方の端部に備えている。同様に、端子板９２２は、円柱状のターミナル９２ｐを他方の端部に備えている。ターミナル９２ｐには、摘み部を絶縁した固定ねじ９２ｓが螺合している。又、ターミナル９２ｐには、試験用の電線の芯線を挿入できる貫通穴９２ｋを外周に貫通している。
【００２２】
図９を参照して、例えば、代替計量器（図示せず）からの電線Ｗｓの芯線を一方の端部の貫通穴９２ｋに挿入し、電線Ｗｓの芯線を固定ねじ９２ｓで固定することで、代替計量器（図示せず）からの電線Ｗｓと端子板９２２の一方の端部を電気的に接続できる。又、端子板９２２の一方の端部を介して、代替計量器（図示せず）からの電線Ｗｓと変成器（図示せず）からのリード線Ｗｒを電気的に接続できる。
【００２３】
図８又は図９を参照すると、端子板９２２は、接栓９３を更に備えている。接栓９３は、絶縁性を有する円盤状の摘み部９３ｈと導電性を有するねじ部９３ｓで構成している。端子板９２２は、中央部が断絶している。接栓９３を端子板９２２の中央部に締結することで、端子板９２２の一方の端部と他方の端部を電気的に接続できる。つまり、リード線Ｗｒと電線Ｗを電気的に接続できる。一方、接栓９３を端子板９２２から取り外すと、リード線Ｗｒと電線Ｗを電気的に遮断できる。
【００２４】
図８又は図９を参照して、代替計量器（図示せず）からの電線Ｗｓをターミナル９２ｐに接続することで、代替計量器（図示せず）と変成器（図示せず）を電気的に接続できる。通信端末８を電力量計７に接続するときは（図５参照）、特定の接栓９３を端子板９２２から取り外すことで、変成器（図示せず）と電力量計７の接続が解除され、代替計量器（図示せず）で電力を計量できる。
【００２５】
図５から図９を参照して、このように、通信端末８を電力量計７に接続するときは、ＴＴ９を用いて、代替計量器（図示せず）を接続し、代替計量器（図示せず）のスタート時の電力の指示値と代替計量器（図示せず）を撤去時の電力の指示値と記録し、代替計量器（図示せず）を使用時の電力量を計量している。
【００２６】
しかし、図５を参照して、通信端末８に電源を供給するだけの作業で、代替計量器（図示せず）を用意し、ＴＴ９に接続することは作業効率が良くないという、問題がある。電力量計が計量している状態で、通信端末に電源を接続できる電力量計用バイパス工具が求められている。そして、以上のことが本発明の課題といってよい。
【００２７】
本発明は、このような課題に鑑みてなされたものであり、電力量計が計量している状態で、通信端末に電源を接続できる電力量計用バイパス工具を提供することを目的とする。
【課題を解決するための手段】
【００２８】
本発明者は、巻回部を一端部側に有し、芯線部を他端部側に有する、一組のバイパスケーブルを用いて、芯線部をチェックターミナルの変成器側に設けたターミナルに接続すると共に、巻回部を電力量計の奥側のねじ端子に締結することで、変成器と電力量計をバイパスでき、入口側のねじ端子を弛めた状態では、電線の芯線と通信端末の電源端子に接続したケーブルの芯線を端子台に縦続接続できると考え、これに基づいて、以下のような新たな電力量計用バイパス工具を発明するに至った。
【００２９】
（１）本発明による電力量計用バイパス工具は、変成器に接続したリード線と電力量計に接続した電線とを電気的に接続、又は前記リード線と前記電線を電気的に遮断できるチェックターミナルを用いて、前記電力量計が計量している状態で、通信端末に電源を接続できる電力量計用バイパス工具であって、前記電力量計は、少なくとも一組以上の電圧線端子を有する端子台を備え、前記端子台は、被覆を剥離した前記電線の芯線を挿入自在な端子穴と、第１の端子板に導通可能に螺合すると共に、前記端子穴に挿入された前記電線の芯線を固定できる一組のねじ端子と、を有し、前記ねじ端子のねじ部を挿通自在な穴を中心部に開口した巻回部を一端部側に有し、前記チェックターミナルの変成器側に設けたターミナルに接続自在な芯線部を他端部側に有する、一組のバイパスケーブルを備え、前記第１の端子板を介して、奥側の前記ねじ端子を前記巻回部に締結した状態では、当該ねじ端子のねじ部の先端面が前記電線の芯線から離反できると共に、入口側の前記ねじ端子を弛めることで、前記電線を前記第１の端子板から取り外しできる。
【００３０】
（２）前記第１の端子板を介して、奥側の前記ねじ端子を前記巻回部に締結し、入口側の前記ねじ端子を弛めた状態では、前記電線の芯線と前記通信端末の電源端子に接続したケーブルの芯線を縦続接続した状態で前記端子穴に挿入できることが好ましい。
【００３１】
（３）一方のバイパスケーブルは、赤色の絶縁被覆を有し、他方のバイパスケーブルは、白色の絶縁被覆を有していることが好ましい。
【００３２】
（４）本発明による電力量計用バイパス工具の接続方法は、変成器に接続したリード線と電力量計に接続した電線とを電気的に接続、又は前記リード線と前記電線を電気的に遮断できるチェックターミナルを用いて、前記電力量計が計量している状態で、通信端末に電源を接続できる電力量計用バイパス工具の接続方法であって、前記電力量計は、少なくとも一組以上の電圧線端子を有する端子台を備え、前記端子台は、被覆を剥離した前記電線の芯線を挿入自在な端子穴と、第１の端子板に導通可能に螺合すると共に、前記端子穴に挿入された前記電線の芯線を固定できる一組のねじ端子と、を有し、前記ねじ端子のねじ部を挿通自在な穴を中心部に開口した巻回部を一端部側に有し、前記チェックターミナルの変成器側に設けたターミナルに接続自在な芯線部を他端部側に有する、一組のバイパスケーブルを備え、前記バイパスケーブルの巻回部を奥側の前記ねじ端子に締結する第１工程と、前記バイパスケーブルの芯線部を前記チェックターミナルの変成器側に設けたターミナルに接続する第２工程と、前記チェックターミナルに配置した第２の端子板の中央部に締結した接栓を当該第２の端子板から取り外して、前記変成器側に設けたターミナルと電力量計側のターミナルを電気的に遮断する第３工程と、入口側の前記ねじ端子を弛めて前記電線を前記第１の端子板から取り外す第４工程と、前記電線の芯線と前記通信端末の電源端子に接続したケーブルの芯線を縦続接続した状態で前記端子穴に挿入する第５工程と、含んでいる。
【発明の効果】
【００３３】
本発明による電力量計用バイパス工具は、巻回部を一端部側に有し、芯線部を他端部側に有する、一組のバイパスケーブルを用いて、芯線部をチェックターミナルの変成器側に設けたターミナルに接続すると共に、巻回部を電力量計の奥側の前記ねじ端子に締結することで、変成器と電力量計をバイパスでき、入口側のねじ端子を弛めた状態では、電線の芯線と通信端末の電源端子に接続したケーブルの芯線を端子台に縦続接続できる。
【図面の簡単な説明】
【００３４】
【図１】本発明の一実施形態による電力量計用バイパス工具の構成を示す正面図であり、図１（Ａ）は、赤色の絶縁被覆で芯線を被覆した第１のバイパスケーブルの正面図、図１（Ｂ）は、白色の絶縁被覆で芯線を被覆した第２のバイパスケーブルの正面図である。
【図２】電力量計の部分拡大縦断面図であり、バイパスケーブルの一方の端部に備わる巻回部を奥側のねじ端子で締結した状態図である。
【図３】チェックターミナルの構成を示す正面図であり、バイパスケーブルの他方の端部に備わる芯線部を変成器側に設けたターミナルに接続した状態図である。
【図４】電力量計の部分拡大縦断面図であり、電線の芯線と通信端末の電源端子に接続したケーブルの芯線を縦続接続した端末を端子穴に挿入する前の状態図である。
【図５】電力量計と通信端末との接続例を示す配置図である。
【図６】一例による電力量計の構成を示す正面図であり、電力量計本体から計器ボックスを取り外した状態図である。
【図７】図６の部分拡大縦断面図である。
【図８】従来技術によるチェックターミナルの構成を示す正面図であり、蓋体を取り外した状態図である。
【図９】図８のＡ−Ａ矢視断面図である。
【発明を実施するための形態】
【００３５】
以下、図面を参照して本発明を実施するための形態を説明する。
［電力量計用バイパス工具の構成］
最初に、本発明の一実施形態による電力量計用バイパス工具の構成を説明する。
【００３６】
図１は、本発明の一実施形態による電力量計用バイパス工具の構成を示す正面図であり、図１（Ａ）は、赤色の絶縁被覆で芯線を被覆した第１のバイパスケーブルの正面図、図１（Ｂ）は、白色の絶縁被覆で芯線を被覆した第２のバイパスケーブルの正面図である。
【００３７】
図２は、電力量計の部分拡大縦断面図であり、バイパスケーブルの一方の端部に備わる巻回部を奥側のねじ端子で締結した状態図である。
【００３８】
図３は、チェックターミナルの構成を示す正面図であり、バイパスケーブルの他方の端部に備わる芯線部を変成器側に設けたターミナルに接続した状態図である。
【００３９】
図４は、電力量計の部分拡大縦断面図であり、電線の芯線と通信端末の電源端子に接続したケーブルの芯線を縦続接続した端末を端子穴に挿入する前の状態図である。
【００４０】
なお、従来技術で使用した符号と同じ符号を有する構成品は、その作用を同じとするので、以下説明を省略することがある。
【００４１】
図１を参照すると、本発明の一実施形態による電力量計用バイパス工具は、一組のバイパスケーブルＷｂ１・Ｗｂ２で構成している。一方のバイパスケーブルＷｂ１は、その芯線Ｗｃが赤色の絶縁被覆１Ｗｉｓで被覆されている。他方のバイパスケーブルＷｂ２は、その芯線Ｗｃが白色の絶縁被覆２Ｗｉｓで被覆されている。バイパスケーブルＷｂ１・Ｗｂ２の全長は９０ｃｍ程度が好ましい。
【００４２】
図１を参照すると、一方のバイパスケーブルＷｂ１は、芯線Ｗｃを巻回した巻回部１ｒを一方の端部に有している。同様に、他方のバイパスケーブルＷｂ２は、芯線Ｗｃを巻回した巻回部１ｒを一方の端部に有している。又、一方のバイパスケーブルＷｂ１は、その芯線Ｗｃを露出した芯線部１ｃを他方の端部に有している。同様に、他方のバイパスケーブルＷｂ２は、その芯線Ｗｃを露出した芯線部１ｃを他方の端部に有している。
【００４３】
図１又は図２を参照すると、巻回部１ｒは、ねじ端子７２ｔのねじ部を挿通自在な穴１ｈを中心部に開口している。端子板７２ｂを介して、奥側のねじ端子７２ｔを巻回部１ｒに締結した状態では、ねじ端子７２ｔのねじ部の先端面を電線Ｗの芯線Ｗｃから離反できる（図２参照）。
【００４４】
図１又は図３を参照すると、芯線部１ｃは、チェックターミナル９の変成器側に設けたターミナル９２ｐに接続できる。
【００４５】
図１から図３及び図５を参照して、一方のバイパスケーブルＷｂ１の巻回部１ｒを電圧線端子Ｐ１の奥側のねじ端子７２ｔに接続すると共に、一方のバイパスケーブルＷｂ１の芯線部１ｃをチェックターミナル９の変成器側に設けたターミナル９２ｐに接続する。
【００４６】
又、図１から図３及び図５を参照して、他方のバイパスケーブルＷｂ２の巻回部１ｒを電圧線端子Ｐ２の奥側のねじ端子７２ｔに接続すると共に、他方のバイパスケーブルＷｂ２の芯線部１ｃをチェックターミナル９の変成器側に設けたターミナル９２ｐに接続する。これにより、電力量計７の電源と変成器（図示せず）をバイパスできる。
【００４７】
次に、図３を参照して、一方のバイパスケーブルＷｂ１が接続した端子板９２２から、接栓９３を取り外すことで、電線Ｗによる電力量計７とチェックターミナル９の接続を解除できる。又、他方のバイパスケーブルＷｂ２が接続した端子板９２２から、接栓９３を取り外すことで、電線Ｗによる電力量計７とチェックターミナル９の接続を解除できる。
【００４８】
次に、図２を参照して、入口側のねじ端子７２ｔを弛めると、電線Ｗを端子穴７ｈから引き抜くことができる。次に、図４又は図５を参照して、電線Ｗの芯線Ｗｃと通信端末８の電源端子に接続したケーブルＣｂ１又はケーブルＣｂ２の芯線を縦続接続した状態で、端子穴７ｈに挿入できる。そして、一組のねじ端子７２ｔ・７２ｔをケーブルＣｂ１又はケーブルＣｂ２の芯線に当接することで、電力量計７から通信端末８に電源を供給できる。なお、電線Ｗの芯線ＷｃとケーブルＣｂ１又はケーブルＣｂ２の芯線は、圧縮スリーブＳｖで縦続接続することが好ましい。
【００４９】
［電力量計用バイパス工具の作用］
次に、実施形態による電力量計用バイパス工具の接続方法を説明しながら、電力量計用バイパス工具の作用及び効果を説明する。
【００５０】
図１又は図２及び図５を参照して、最初に、一方のバイパスケーブルＷｂ１の巻回部１ｒを電圧線端子Ｐ１の奥側のねじ端子７２ｔに接続する（第１工程）。次に、図３を参照して、一方のバイパスケーブルＷｂ１の芯線部１ｃをチェックターミナル９の変成器側に設けたターミナル９２ｐに接続する（第２工程）。
【００５１】
図１又は図２及び図５を参照して、同様に、他方のバイパスケーブルＷｂ２の巻回部１ｒを電圧線端子Ｐ２の奥側のねじ端子７２ｔに接続する（第１工程）。次に、図３を参照して、他方のバイパスケーブルＷｂ２の芯線部１ｃをチェックターミナル９の変成器側に設けたターミナル９２ｐに接続する（第２工程）。
【００５２】
以上の工程により、電力量計７の計量を停止することなく、変成器と電力量計７をバイパスできる。
【００５３】
次に、図３を参照して、チェックターミナル９に配置した端子板９２２の内、一方のバイパスケーブルＷｂ１が接続した端子板９２２の中央部に締結した接栓９３を端子板９２２から取り外して、変成器側に設けたターミナル９２ｐと電力量計７側のターミナル９２ｐを電気的に遮断する（第３工程）。
【００５４】
同様に、図３を参照して、チェックターミナル９に配置した端子板９２２の内、他方のバイパスケーブルＷｂ２が接続した端子板９２２の中央部に締結した接栓９３を端子板９２２から取り外して、変成器側に設けたターミナル９２ｐと電力量計７側のターミナル９２ｐを電気的に遮断する（第３工程）。
【００５５】
次に、図２又は図５を参照して、電圧線端子Ｐ１の入口側のねじ端子７２ｔを弛めて、電線Ｗを端子板７２ｂから取り外す（第４工程）。同様に、図２又は図５を参照して、電圧線端子Ｐ２の入口側のねじ端子７２ｔを弛めて、電線Ｗを端子板７２ｂから取り外す（第４工程）。
【００５６】
次に、図４又は図５を参照して、電線Ｗの芯線Ｗｃと通信端末８の電源端子に接続したケーブルＣｂ１の芯線を縦続接続した状態で、電圧線端子Ｐ１の端子穴７ｈに挿入する（第５工程）。同様に、図４又は図５を参照して、電線Ｗの芯線Ｗｃと通信端末８の電源端子に接続したケーブルＣｂ２の芯線を縦続接続した状態で、電圧線端子Ｐ２の端子穴７ｈに挿入する（第５工程）。
【００５７】
次に、バイパスケーブルＷｂ１・Ｗｂ２の巻回部１ｒを奥側のねじ端子７２ｔから取り外し、一組のねじ端子７２ｔ・７２ｔをケーブルＣｂ１又はケーブルＣｂ２の芯線に当接することで、電力量計７から通信端末８に電源を供給できる。この場合、図５を参照して、ケーブルＣｂ１とケーブルＣｂ２が導通しないように、スイッチ８ｓを切ってから、ケーブルＣｂ１・Ｃｂ２の端末を端子台７２に接続することが好ましい。
【００５８】
本発明による電力量計用バイパス工具は、次の効果が期待できる。
（１）通信端末の電源取り出し工事で代替用計量器を使用しなくて済む。
（２）現行の電力量計が計量した状態で、通信端末の電源取り出し工事を実施できる。
（３）代替用計量器の指示数を記録する必要が無くなる。
【符号の説明】
【００５９】
１ｃ  芯線部
１ｈ  巻回部の穴
１ｒ  巻回部
７  電力量計
７ｈ  端子穴
８  通信端末
９  チェックターミナル
７２  端子台
７２ｂ  端子板（第１の端子板）
７２ｔ・７２ｔ  一組のねじ端子
９２ｐ  ターミナル
Ｐ１・Ｐ２  電圧線端子
Ｗ  電線
Ｗｂ１・Ｗｂ２  一組のバイパスケーブル
バイパスケーブル
Ｗｃ  芯線
Ｗｅ  被覆
Ｗｒ  リード線
【図１】
2018088315.tif 000003
【図２】
2018088315.tif 000004
【図３】
2018088315.tif 000005
【図４】
2018088315.tif 000006
【図５】
2018088315.tif 000007
【図６】
2018088315.tif 000008
【図７】
2018088315.tif 000009
【図８】
2018088315.tif 000010
【図９】
2018088315.tif 000011